(57)【要約】      （修正有）【課題】打ち抜き位置に多少のズレが生じても確実に開封端部を形成でき、開封テープ付袋を容易に製造できる開封テープ付袋および開封テープ付袋の製造方法を提供すること。【解決手段】開封テープ付袋は、袋体１０には開口部１１が形成され、開口部１１を閉じた後に袋体１０を開封する開封テープ２０を設け、打ち抜きによって開封テープ２０を切断し、切断された開封テープ２０の切断端部の少なくとも一方を開封端部とし、開封テープ付袋の製造方法は、テープ接着工程と、折り工程と、打ち抜き工程と、袋体形成工程とを有することを特徴とする。【選択図】図１
2017019505.tif 000002
【特許請求の範囲】
【請求項１】
袋体には開口部が形成され、前記開口部を閉じた後に前記袋体を開封する開封テープを設けた開封テープ付袋であって、
打ち抜きによって前記開封テープを切断し、切断された前記開封テープの切断端部の少なくとも一方を開封端部としたことを特徴とする開封テープ付袋。
【請求項２】
袋体の一端には開口部が形成され、バックシールテープ、輪ゴム、またはクリップなどの結束具によって前記袋体の前記一端を絞ることで前記開口部を閉じ、前記開口部を閉じた後に前記袋体を開封する開封テープを設けた開封テープ付袋であって、
前記開封テープを、前記袋体の他端寄りに配置し、
打ち抜きによって前記開封テープを切断し、切断された前記開封テープの切断端部の少なくとも一方を開封端部としたことを特徴とする開封テープ付袋。
【請求項３】
少なくとも第１面材と第２面材とで袋体を構成し、前記袋体の一端には開口部が形成され、前記第１面材の一端を前記第２面材の一端よりも延出させて折り返し部を備え、前記折り返し部を折り返して前記開口部を閉じ、前記開口部を閉じた後に前記袋体を開封する開封テープを設けた開封テープ付袋であって、
前記開封テープを、前記第２面材と重なる前記第１面材に配置し、
前記折り返し部を折り返した状態では、前記開封テープが前記折り返し部と重なる位置となり、
打ち抜きによって前記開封テープを切断し、切断された前記開封テープの切断端部の少なくとも一方を開封端部としたことを特徴とする開封テープ付袋。
【請求項４】
前記打ち抜きによって曲片を形成することを特徴とする請求項１から請求項３のいずれかに記載の開封テープ付袋。
【請求項５】
前記曲片を円弧角が１８０度を越える円弧片とし、前記円弧片の両端の仮想延長線が前記開封テープを通ることを特徴とする請求項４に記載の開封テープ付袋。
【請求項６】
前記袋体には、複数の通気孔が形成され、
前記袋体に収納する内容物を、野菜や果実などの農産物としたことを特徴とする請求項１から請求項５のいずれかに記載の開封テープ付袋。
【請求項７】
前記袋体を少なくとも第１面材と第２面材とで構成し、
前記袋体の他端には、前記第１面材と前記第２面材とで封止部が形成され、
前記開口部から前記封止部までの長さをＬとしたとき、前記開封テープを、前記封止部から１／３Ｌまでの間のいずれかの位置で、前記封止部に平行に配置したことを特徴とする請求項１または請求項２に記載の開封テープ付袋。
【請求項８】
前記袋体に収納する内容物を、キュウリやにんじんなどの長物としたことを特徴とする請求項７に記載の開封テープ付袋。
【請求項９】
前記袋体を少なくとも第１面材と第２面材とで構成し、
前記袋体の他端には、前記第１面材と前記第２面材とで封止部が形成され、
前記開口部から前記封止部までの長さをＬとしたとき、前記開封テープを、前記封止部から１／３Ｌを越え、前記封止部から２／３Ｌを越えない位置で、前記封止部に平行に配置したことを特徴とする請求項１または請求項２に記載の開封テープ付袋。
【請求項１０】
前記袋体に収納する内容物を、ジャガイモやタマネギなどの球状物としたことを特徴とする請求項９に記載の開封テープ付袋。
【請求項１１】
前記開口端部に近接した位置に、開け口を示す開口表示と、前記袋体の材質を表示する識別表示とを表示したことを特徴とする請求項１から請求項１０のいずれかに記載の開封テープ付袋。
【請求項１２】
ロール状のシートに開封テープを接着するテープ接着工程と、
前記開封テープが内側となるように前記シートを二つ折りにする折り工程と、
打ち抜きによって前記開封テープを切断する打ち抜き工程と、
前記シートを長手方向に対して垂直な方向に切断して袋体とする袋体形成工程と
を有することを特徴とする開封テープ付袋の製造方法。
【発明の詳細な説明】
【技術分野】
【０００１】
本発明は、開口部を閉じた後に袋体を開封する開封テープを設けた開封テープ付袋および開封テープ付袋の製造方法に関する。
【背景技術】
【０００２】
特許文献１から特許文献５は、開封テープを設けた袋を提案している。
特許文献１は、一方に封緘用のバンドが貼着され、他方が底当て紙によりあらかじめ密封封緘されたバンド付き多層紙袋であり、底当て紙に紙袋の他方を開封する開封テープを配設し、開封テープに沿って一対のスリットを形成することで開封端部としている。
特許文献２は、開口部側の一方のシートに開封テープを溶着し、開封テープの端部に位置する一方のシートには開封テープに達するように一対の切込部を設け、開封テープの端部に位置する他方のシートには切欠部を形成することで開封端部としている。
特許文献３は、開封テープの少なくとも一方の端部が合掌シール部内に位置し、合掌シール部を構成する両フィルム部分のうちの開封テープが位置している部分の両側に引き裂きのための切れ込みを設けている。
特許文献４は、プラスチックフィルムを二つ折りにして筒状に形成し、プラスチックフィルムには、袋本体を周回する開封テープを設け、開封テープの開封端緒を挟んでフィルムに切れ目を形成している。
特許文献５は、切花収納袋の上端縁から所定箇所に設けた切り込みを含めて開封テープが接着され、切り込み側に位置する開封テープの一端を開封片として形成し、開封片および切り込みを覆うようにラベルシールを貼着している。
【先行技術文献】
【特許文献】
【０００３】
【特許文献１】特開２００６−１７６１４５号公報
【特許文献２】国際公開第２００３／５１７２９号
【特許文献３】特開２００２−３６２６３５号公報
【特許文献４】特開２０００−１４２７２６号公報
【特許文献５】登録実用新案第３０４６８２４号公報
【発明の概要】
【発明が解決しようとする課題】
【０００４】
特許文献１から特許文献５では、開封テープの端部に、開封テープに沿って切り込みを設けることで開封テープの開口端部を形成している。特許文献２では、更に開封テープの端部に位置する他方のシートには切欠部を形成している。特許文献５では、更に開封テープの端部にラベルシールを貼着している。
特許文献１から特許文献４で開示されているように、開封テープに沿って切り込みを設ける場合には、切り込み位置の正確性が求められる。
特許文献５では、開封テープの接着前に切り込みを設けるため、特許文献１から特許文献４のような切り込み位置の正確性は求められないが、袋体および開封テープとは別の部材であるラベルシールを用いる必要がある。
【０００５】
そこで本発明は、打ち抜き位置に多少のズレが生じても確実に開封端部を形成でき、開封テープ付袋を容易に製造できる開封テープ付袋および開封テープ付袋の製造方法を提供することを目的とする。
【課題を解決するための手段】
【０００６】
請求項１記載の本発明の開封テープ付袋は、袋体には開口部が形成され、前記開口部を閉じた後に前記袋体を開封する開封テープを設けた開封テープ付袋であって、打ち抜きによって前記開封テープを切断し、切断された前記開封テープの切断端部の少なくとも一方を開封端部としたことを特徴とする。
請求項２記載の本発明の開封テープ付袋は、袋体の一端には開口部が形成され、バックシールテープ、輪ゴム、またはクリップなどの結束具によって前記袋体の前記一端を絞ることで前記開口部を閉じ、前記開口部を閉じた後に前記袋体を開封する開封テープを設けた開封テープ付袋であって、前記開封テープを、前記袋体の他端寄りに配置し、打ち抜きによって前記開封テープを切断し、切断された前記開封テープの切断端部の少なくとも一方を開封端部としたことを特徴とする。
請求項３記載の本発明の開封テープ付袋は、少なくとも第１面材と第２面材とで袋体を構成し、前記袋体の一端には開口部が形成され、前記第１面材の一端を前記第２面材の一端よりも延出させて折り返し部を備え、前記折り返し部を折り返して前記開口部を閉じ、前記開口部を閉じた後に前記袋体を開封する開封テープを設けた開封テープ付袋であって、前記開封テープを、前記第２面材と重なる前記第１面材に配置し、前記折り返し部を折り返した状態では、前記開封テープが前記折り返し部と重なる位置となり、打ち抜きによって前記開封テープを切断し、切断された前記開封テープの切断端部の少なくとも一方を開封端部としたことを特徴とする。
請求項４記載の本発明は、請求項１から請求項３のいずれかに記載の開封テープ付袋において、前記打ち抜きによって曲片を形成することを特徴とする。
請求項５記載の本発明は、請求項４に記載の開封テープ付袋において、前記曲片を円弧角が１８０度を越える円弧片とし、前記円弧片の両端の仮想延長線が前記開封テープを通ることを特徴とする。
請求項６記載の本発明は、請求項１から請求項５のいずれかに記載の開封テープ付袋において、前記袋体には、複数の通気孔が形成され、前記袋体に収納する内容物を、野菜や果実などの農産物としたことを特徴とする。
請求項７記載の本発明は、請求項１または請求項２に記載の開封テープ付袋において、前記袋体を少なくとも第１面材と第２面材とで構成し、前記袋体の他端には、前記第１面材と前記第２面材とで封止部が形成され、前記開口部から前記封止部までの長さをＬとしたとき、前記開封テープを、前記封止部から１／３Ｌまでの間のいずれかの位置で、前記封止部に平行に配置したことを特徴とする。
請求項８記載の本発明は、請求項７に記載の開封テープ付袋において、前記袋体に収納する内容物を、キュウリやにんじんなどの長物としたことを特徴とする。
請求項９記載の本発明は、請求項１または請求項２に記載の開封テープ付袋において、前記袋体を少なくとも第１面材と第２面材とで構成し、前記袋体の他端には、前記第１面材と前記第２面材とで封止部が形成され、前記開口部から前記封止部までの長さをＬとしたとき、前記開封テープを、前記封止部から１／３Ｌを越え、前記封止部から２／３Ｌを越えない位置で、前記封止部に平行に配置したことを特徴とする。
請求項１０記載の本発明は、請求項９に記載の開封テープ付袋において、前記袋体に収納する内容物を、ジャガイモやタマネギなどの球状物としたことを特徴とする。
請求項１１記載の本発明は、請求項１から請求項１０のいずれかに記載の開封テープ付袋において、前記開口端部に近接した位置に、開け口を示す開口表示と、前記袋体の材質を表示する識別表示とを表示したことを特徴とする。
請求項１２記載の本発明の開封テープ付袋の製造方法は、ロール状のシートに開封テープを接着するテープ接着工程と、前記開封テープが内側となるように前記シートを二つ折りにする折り工程と、打ち抜きによって前記開封テープを切断する打ち抜き工程と、前記シートを長手方向に対して垂直な方向に切断して袋体とする袋体形成工程とを有することを特徴とする。
【発明の効果】
【０００７】
本発明の開封テープ付袋によれば、打ち抜き位置に多少のズレが生じても確実に開封端部を形成でき、開封テープ付袋を容易に製造できる。
【図面の簡単な説明】
【０００８】
【図１】本発明の一実施例による開封テープ付袋を示す写真
【図２】同開封テープ付袋の要部拡大写真
【図３】同開封テープ付袋に果実を収納して開口部を閉じた状態を示す写真
【図４】開封操作を説明するための写真
【図５】開封操作を説明するための写真
【図６】本実施例の開封テープ付袋の製造方法を示す図
【図７】本実施例の開封テープ付袋の製造方法を示す図
【発明を実施するための形態】
【０００９】
本発明の第１の実施の形態による開封テープ付袋は、打ち抜きによって開封テープを切断し、切断された開封テープの切断端部の少なくとも一方を開封端部としたものである。本実施の形態によれば、開封テープを切断することで開口端部を形成するため、打ち抜き位置に多少のズレが生じても確実に開封端部を形成でき、開封テープ付袋を容易に製造できる。
【００１０】
本発明の第２の実施の形態による開封テープ付袋は、バックシールテープ、輪ゴム、またはクリップなどの結束具によって袋体の一端を絞ることで開口部を閉じ、開口部を閉じた後に袋体を開封する開封テープを設けた開封テープ付袋であって、開封テープを、袋体の他端寄りに配置し、打ち抜きによって開封テープを切断し、切断された開封テープの切断端部の少なくとも一方を開封端部としたものである。本実施の形態によれば、打ち抜き位置に多少のズレが生じても確実に開封端部を形成でき、開封テープ付袋を容易に製造できる。また本実施の形態によれば、バックシールテープ、輪ゴム、またはクリップなどの結束具によって袋体の一端を絞ることで開口部を閉じる開封テープ付袋にあっては、開封テープを袋体の他端寄りに配置することで、内容物に応じて結束具の絞り位置が変わっても、開封テープによって袋体を開封することができる。
【００１１】
本発明の第３の実施の形態による開封テープ付袋は、袋体の一端には開口部が形成され、第１面材の一端を第２面材の一端よりも延出させて折り返し部を備え、折り返し部を折り返して開口部を閉じ、開口部を閉じた後に袋体を開封する開封テープを設けた開封テープ付袋であって、開封テープを、第２面材と重なる第１面材に配置し、折り返し部を折り返した状態では、開封テープが折り返し部と重なる位置となり、打ち抜きによって開封テープを切断し、切断された開封テープの切断端部の少なくとも一方を開封端部としたものである。本実施の形態によれば、打ち抜き位置に多少のズレが生じても確実に開封端部を形成でき、開封テープ付袋を容易に製造できる。また本実施の形態によれば、折り返し部の位置で袋体を開封することができる。
【００１２】
本発明の第４の実施の形態は、第１から第３のいずれかの実施の形態による開封テープ付袋において、打ち抜きによって曲片を形成するものである。本実施の形態によれば、曲片を形成することで、例えば内容物の荷重によって袋体に負荷が加わっても、打ち抜き箇所から袋体が裂けることを防止できる。
【００１３】
本発明の第５の実施の形態は、第４の実施の形態による開封テープ付袋において、曲片を円弧角が１８０度を越える円弧片とし、円弧片の両端の仮想延長線が開封テープを通るものである。本実施の形態によれば、開封端部を引っ張ることで、円弧片の両端が開封テープに沿うため、開封を安定して行える。
【００１４】
本発明の第６の実施の形態は、第１から第５のいずれかの実施の形態による開封テープ付袋において、袋体には、複数の通気孔が形成され、袋体に収納する内容物を、野菜や果実などの農産物としたものである。本実施の形態によれば、通気孔が形成される農産物用の開封テープ付袋では、密封性が要求されないため、袋体を打ち抜いて切断することができる。
【００１５】
本発明の第７の実施の形態は、第１または第２の実施の形態による開封テープ付袋において、袋体を少なくとも第１面材と第２面材とで構成し、袋体の他端には、第１面材と第２面材とで封止部が形成され、開口部から封止部までの長さをＬとしたとき、開封テープを、封止部から１／３Ｌまでの間のいずれかの位置で、封止部に平行に配置したものである。本実施の形態によれば、袋体の端部寄りを開封できる。
【００１６】
本発明の第８の実施の形態は、第７の実施の形態による開封テープ付袋において、袋体に収納する内容物を、キュウリやにんじんなどの長物としたものである。本実施の形態によれば、特に長物の取り出しに適している。
【００１７】
本発明の第９の実施の形態は、第１または第２の実施の形態による開封テープ付袋において、袋体を少なくとも第１面材と第２面材とで構成し、袋体の他端には、第１面材と第２面材とで封止部が形成され、開口部から封止部までの長さをＬとしたとき、開封テープを、封止部から１／３Ｌを越え、封止部から２／３Ｌを越えない位置で、封止部に平行に配置したものである。本実施の形態によれば、袋体の中央寄りを開封できる。
【００１８】
本発明の第１０の実施の形態は、第９の実施の形態による開封テープ付袋において、袋体に収納する内容物を、ジャガイモやタマネギなどの球状物としたものである。本実施の形態によれば、特に球状物の取り出しに適している。
【００１９】
本発明の第１１の実施の形態は、第１から第１０のいずれかの実施の形態による開封テープ付袋において、開口端部に近接した位置に、開け口を示す開口表示と、袋体の材質を表示する識別表示とを表示したものである。本実施の形態によれば、識別表示を開口表示に近い位置に表示することで、開口表示を目立たせることができるとともに、一台の汎用の印字機を用いて開口表示と識別表示とを同時に印刷することができる。
【００２０】
本発明の第１２の実施の形態による開封テープ付袋の製造方法は、ロール状のシートに開封テープを接着するテープ接着工程と、開封テープが内側となるようにシートを二つ折りにする折り工程と、打ち抜きによって開封テープを切断する打ち抜き工程と、シートを長手方向に対して垂直な方向に切断して袋体とする袋体形成工程とを有するものである。本実施の形態によれば、打ち抜き位置に多少のズレが生じても確実に開封端部を形成でき、製造が容易である。
【実施例】
【００２１】
以下本発明の実施例について図面とともに説明する。
図１は本実施例による開封テープ付袋を示す写真、図２は同開封テープ付袋の要部拡大写真、図３は同開封テープ付袋に果実を収納して開口部を閉じた状態を示す写真、図４および図５は開封操作を説明するための写真である。
【００２２】
図１に示すように、開封テープ付袋は、袋体１０に開口部１１が形成され、開口部１１を閉じた後に袋体１０を開封する開封テープ２０を設けている。
袋体１０は、例えばポリプロピレン（ＰＰ）などの汎用プラスチックで形成され、第１の面材１０ａと第２の面材１０ｂとで形成されている。第１の面材１０ａの一端と第２の面材１０ｂの一端とは開口部１１を形成し、第１の面材１０ａの他端と第２の面材１０ｂの他端とは接続されて封止部１２を形成している。
本実施例の開封テープ付袋は、第１の面材１０ａの他端と第２の面材１０ｂの他端とは折り返すことで接続されている。
第１の面材１０ａの両側部１３、１４と、第２の面材１０ｂの両側部１３、１４とは接続されて封止している。
本実施例の開封テープ付袋は、第１の面材１０ａの両側部１３、１４と第２の面材１０ｂの両側部１３、１４とはヒートシールすることで接続されている。
本実施例の開封テープ付袋は、袋体１０を形成する第１の面材１０ａと第２の面材１０ｂとには、複数の通気孔１５が形成され、野菜や果実などの農産物を内容物４０として収納する。このように、通気孔１５が形成される、例えば農産物用の開封テープ付袋では、密封性が要求されないため、袋体を打ち抜いて切断することができる。
【００２３】
開封テープ２０は、例えば一軸延伸ポリプロピレン（ＭＯＰＰ）などの汎用プラスチックで形成されており、テープ片面に粘着剤が塗布されたものが適している。
本実施例の開封テープ２０は、第１の面材１０ａの内面、すなわち第２の面材１０ｂと対向する面に貼り付けており、開口部１１から封止部１２までの長さをＬとしたとき、封止部１２から１／３Ｌまでの間のいずれかの位置で、封止部１２に平行に配置している。
本実施例によれば、袋体１０の端部寄りを開封できるため、袋体１０に収納する内容物４０を、キュウリやにんじんなどの長物とした場合に取り出しに適している。
【００２４】
図２に示すように、開封テープ２０は、打ち抜きによって切断され、切断された開封テープ２０の切断端部の少なくとも一方を開封端部２１としている。
袋体１０には、打ち抜きによって曲片１６が形成される。曲片１６は、円弧角が１８０度を越える円弧片とし、円弧片の両端１６ａ、１６ｂの仮想延長線１６ｘが開封テープ２０を通るように形成する。
本実施例によれば、曲片１６を形成することで、例えば内容物４０の荷重によって袋体１０に負荷が加わっても、打ち抜き箇所から袋体１０が裂けることを防止できる。
また、本実施例によれば、開封端部２１を引っ張ることで、円弧片の両端１６ａ、１６ｂが開封テープ２０に沿うため、開封を安定して行える。
【００２５】
開口端部２１に近接した位置には、開け口を示す開口表示３１と、袋体１０の材質を表示する識別表示３２とを表示している。本実施例によれば、識別表示３２を開口表示３１に近い位置に表示することで、開口表示３１を目立たせることができるとともに、一台の汎用の印字機を用いて開口表示３１と識別表示３２とを同時に印刷することができる。
【００２６】
図３では、内容物４０として２つのリンゴを収納した状態を示しており、本実施例の開封テープ付袋は、バックシールテープなどの結束具５０によって袋体１０の一端を絞ることで開口部１１を閉じて用いる。結束具５０としては、バックシールテープ以外に、輪ゴムやクリップを用いることができる。なお、本実施例の開封テープ付袋は、袋体１０の一端、特に開口部１１をヒートシールで封止した後に結束具５０を用いることもある。
本実施例によれば、バックシールテープ、輪ゴム、またはクリップなどの結束具５０によって袋体１０の一端を絞ることで開口部１１を閉じる開封テープ付袋において、開封テープ２０を袋体１０の他端寄りに配置することで、内容物４０に応じて結束具５０の絞り位置が変わっても、開封テープ２０によって袋体１０を開封することができる。
【００２７】
本実施例では、開封テープ２０を、袋体１０の他端寄りに配置した場合を示したが、開封テープ２０を、封止部１２から１／３Ｌを越え、封止部１２から２／３Ｌを越えない位置で、封止部１２に平行に配置してもよい。袋体１０の中央寄りを開封できることで、袋体１０に収納する内容物４０を、リンゴ、ジャガイモ、またはタマネギなどの球状物とした場合に取り出しやすい。
【００２８】
図４および図５を用いて開封操作について説明する。
打ち抜きによって形成される曲片１６には、図４に示すように開口端部２１が位置しており、図５に示すように曲片１６を摘んで引っ張ることで、開封テープ２０によって第１の面材１０ａには切断部１７が形成される。そしてこの切断部１７によって袋体１０を開封することができる。
曲片１６は、円弧角が１８０度を越える円弧片としているため、曲片１６を摘んで引っ張ると、図４に示す曲片１６の両端１６ａ、１６ｂは開封テープ２０に向かって裂けるため、切断部１７は図５に示すように開封テープ２０の幅に沿って形成され、開封を安定して行うことができる。
【００２９】
図６は、本実施例の開封テープ付袋の製造方法を示す図である。
袋体１０を構成するシート６１は、ロール状に巻かれたシートロール体６０から引き出される。シートロール体６０から引き出されたシート６１には、開封テープ２０が接着される。開封テープ２０は、ロール状に巻かれたテープロール体７０から引き出され、シート６１の長手方向に沿って接着される。
シート６１に開封テープ２０を接着するテープ接着工程Ａは連続搬送で行われる。
テープ接着工程Ａで開封テープ２０が接着されたシート６１は、開封テープ２０が内側となるようにシート６１を二つ折りにする。
この折り工程Ｂによって、シート６１の両端６１ａ、６１ｂは、袋体１０の開口部１１を形成し、シート６１の中央部６１ｃは袋体１０の封止部１２を形成する。
折り工程Ｂの後に、打ち抜き工程Ｃが行われる。
打ち抜き工程Ｃでは、打ち抜きによって開封テープ２０を切断する。打ち抜き工程Ｃは間欠搬送で行われる。
打ち抜き工程Ｃの後に、袋体形成工程Ｄが行われる。
袋体形成工程Ｄでは、シート６１を長手方向に対して垂直な方向に切断して袋体１０とする。なお、袋体形成工程Ｄでは、切断箇所をヒートシールすることで袋体１０の両側部１３、１４を形成する。
本実施例によれば、打ち抜き位置に多少のズレが生じても確実に開封端部２１を形成でき、開封テープ付袋を容易に製造できる。
【００３０】
図７は本発明の他の実施例による開封テープ付袋を示す写真である。なお、上記実施例と同一構成要素には同一符号を付して説明を省略する。
本実施例による開封テープ付袋は、袋体８０の一端には開口部１１が形成され、第１面材８０ａの一端を第２面材８０ｂの一端よりも延出させて折り返し部８０ｃを備え、折り返し部８０ｃを折り返して開口部１１を閉じ、開口部１１を閉じた後に袋体８０を開封する開封テープ２０を設けている。
開封テープ２０は、第２面材８０ｂと重なる第１面材８０ａに配置し、折り返し部８０ｃを折り返した状態では、折り返し部８０ｃと重なる位置となる。
本実施例による開封テープ付袋は、折り返し部８０ｃの端部に接着部９１を設けており、折り返し部８０ｃを折り返して開口部１１を閉じた状態で、接着部９１によって折り返し部８０ｃを第２面材８０ｂに貼り合わせて開口部１１を閉じる。
【００３１】
第１の面材８０ａの他端と第２の面材８０ｂの他端とにはマチ９２が設けられ、マチ９２によって封止部１２を形成している。
なお、袋体８０は、例えばポリプロピレン（ＰＰ）などの汎用プラスチックで形成されている。
本実施例によれば、打ち抜き位置に多少のズレが生じても確実に開封端部２１を形成でき、開封テープ付袋を容易に製造できる。また本実施例によれば、折り返し部８０ｃの位置で袋体８０を開封することができる。
なお、本実施例に示すような折り返し部８０ｃを備えた開封テープ付袋において、図１から図５に示すように開封テープ２０を袋体８０の他端寄りに配置し、または開封テープ２０を袋体８０の中央寄りに配置することもできる。
【産業上の利用可能性】
【００３２】
本発明は、特に野菜や果実などの農産物を収容する開封テープ付袋に適している。
【符号の説明】
【００３３】
１０  袋体
１０ａ  第１の面材
１０ｂ  第２の面材
１１  開口部
１２  封止部
１３  両側部
１４  両側部
１５  通気孔
１６  曲片
１６ａ  両端
１６ｂ  両端
１６ｘ  仮想延長線
２０  開封テープ
２１  開封端部
３１  開口表示
３２  識別表示
４０  内容物
５０  結束具
６０  シートロール体
６１  シート
７０  テープロール体
Ａ  テープ接着工程
Ｂ  折り工程
Ｃ  打ち抜き工程
Ｄ  袋体形成工程
【図１】
2017019505.tif 000003
【図２】
2017019505.tif 000004
【図３】
2017019505.tif 000005
【図４】
2017019505.tif 000006
【図５】
2017019505.tif 000007
【図６】
2017019505.tif 000008
【図７】
2017019505.tif 000009